(57)【特許請求の範囲】
【請求項１】
構築物の昇降路に沿って予め張られている安全器装着用のロープに係合し、牽引ロープを介して作業者を引きながら上昇する構築物昇降補助装置であって、
電源用バッテリを保持し、このバッテリ駆動のモータにより回転する駆動ローラを有する本体と、
この本体に対して相対移動自在に係合し、前記駆動ローラと対向して前記ロープを挟持する押圧ローラを有する可動枠と、
前記駆動ローラと押圧ローラとの間隔を可変とするために、前記本体と可動枠との相対位置を調整すべく、本体と可動枠との間を接続するトルク調整ボルトと、
前記本体と前記牽引ロープとの間に介設され、牽引ロープに所定範囲の負荷がかかったときに前記駆動モータに給電するように動作する負荷センサとを具備することを特徴とする構築物昇降補助装置。
【請求項２】
前記本体から上方に延出するように安全器支持アームが設けられ、このアームの先端部が、安全器の安全器ロープを係止するレバーに係合され、前記安全器装着用ロープ上において、安全器支持アームで安全器を支持しつつ上昇、下降するように構成されることを特徴とする請求項１に記載の構築物昇降補助装置。
【発明の詳細な説明】
【０００１】
【発明の属する技術分野】
この発明は、構築物を昇る作業者の負担を軽減するために、作業者を引いて昇降する昇降補助装置であって、高所作業用の安全器を装着するために昇降路に沿って予め張られているロープに係合して、牽引ロープで作業者を引きながら上昇する構築物昇降補助装置に関するものである。
【０００２】
【従来の技術】
作業者を牽引して構築物を昇降する補助装置が従来知られている。これは、構築物に専用のラックレールを取り付け、これに本体のピニオンを係合させて、エンジン又はモータ駆動で構築物を昇降するものである。
【０００３】
【発明が解決しようとする課題】
上記従来の昇降補助装置は、設備が大がかりでコストが高いし、専用のラックレールを各構築物に常設しなければならない難点がある。
従って、本発明は、構築物の側に専用の特別の設備を必要とせず、小型軽量で運搬が容易な構築物昇降補助装置を提供することを課題としている。
【０００４】
【課題を解決するための手段】
本発明においては、上記課題を解決するため、構築物４１の昇降路に沿って予め張られている安全器装着用のロープ４３に係合して、牽引ロープ６を介して作業者を引きながら上昇するように構築物昇降補助装置１を構成する。装置の本体２に電源用バッテリ３を保持させると共に、このバッテリ駆動のモータ４により回転する駆動ローラ５を設ける。この本体２に対して相対移動自在に可動枠７を係合させ、この可動枠７に駆動ローラ５と対向してロープ４３を挟持する押圧ローラ９を設ける。本体２と可動枠７との間をトルク調整ボルト１０で接続し、このトルク調整ボルト１０で本体２と可動枠７との相対位置を調整し、駆動ローラ５と押圧ローラ９との間隔を可変とする。また、本体２と牽引ロープ６との間に負荷センサ１２を介設し、牽引ロープ６に所定範囲の負荷がかかったときに駆動モータ４に給電するようにする。
【０００５】
【発明の実施の形態】
図面を参照して本発明の実施形態を説明する。図１は構築物昇降補助装置の正面図、図２は構築物昇降補助装置の背面図、図３は構築物昇降補助装置の側面図、図４は負荷センサの概略的説明図、図５は構築物昇降補助装置の使用状態の概略的説明図である。
【０００６】
図５に示すように、構築物昇降補助装置１は、構築物４１の昇降路となる主柱４２に沿って予め張られている安全器装着用のロープ４３にローラ５，９を係合させて使用する。構築物昇降補助装置１は、牽引ロープ６を介して作業者を引きながらロープ４３に沿って上昇する。作業者の安全器ロープ４４が接続された安全器４５は、構築物昇降補助装置１の上方に配置され、本体から上方に延出した安全器支持アーム２ａの先端部に押されて上昇するようになっている。アーム２ａは、安全器４５の安全器ロープ４４を係止するレバー４５ａに係合され、これを支持しつつ上昇、下降する。安全器４５を構築物昇降補助装置１の下方に配置し、構築物昇降補助装置１に引かれて上昇し、またこれより下方を下降するようにしてもよい。
【０００７】
図１ないし図３において、構築物昇降補助装置１の本体２は、電源用バッテリ３を支持し、モータ４により回転する駆動ローラ５を有する。牽引ロープ６は本体２に接続されている。
【０００８】
可動枠７は、本体２の支持板８の両縁に相対移動自在に係合している。可動枠７には、駆動ローラ５と対向してロープ４３を挟持するように押圧ローラ９が設けられている。
【０００９】
本体２と可動枠７との間は、トルク調整ボルト１０で連結されている。このトルク調整ボルト１０により、本体２と可動枠７との相対位置が可変とされ、従って、駆動ローラ５と押圧ローラ９との間隔が可変とされている。
【００１０】
トルク調整ボルト１０には、トルク制限用のハンドル１１が取り付けられている。ハンドル１１を握ってトルク調整ボルト１０を回転し、駆動ローラ５と押圧ローラ９との間でロープ締め付け、この締め付け力が所定値に達すると、ハンドル１１とトルク調整ボルト１０との間に滑りが生じるようになっている。従って、ローラ５，９が使用により摩耗しても、使用の度毎に常時一定のロープ挟持力を確保することができる。
【００１１】
本体２と牽引ロープ６との間には負荷センサ１２が介設されている。即ち、負荷センサ１２は、一対のレバー１３と、レバー１３に連結された摺動板１４と、レバー１３，１３間に介設されたばね１５とから構成される。図４に概略的に示すように、摺動板１４，１４は互いに重なるように配置され、レバー１３の回転に従って相互の重なり幅が変化するように、左右に移動自在に本体２に取り付けられている。摺動板１４，１４は、互いに所定の位置範囲で電気的に導通する接触片１４ａ，１４ｂを備え、これが電源バッテリ３と駆動モータ４との間に介設されている。レバー１３には牽引ロープ６が接続されている。牽引ロープ６を引いたり、これに体重がかかると、レバー１３がばね１５を引き伸ばしつつ回転して摺動板１４を夫々左又は右へ移動させ、接触片１４ａ，１４ｂを接触させる。この負荷センサ１２は、牽引ロープ６に所定の範囲（例えば５kg〜５０kg）の負荷がかかったときに駆動モータ４に給電するよう動作する。
【００１２】
モータ４は、給電を停止した下降時には、逆転して発電、電磁ブレーキとして動作するもので、出力端子間に介設された電気抵抗の大きさを選択することによってブレーキ力を選択することができるようになっている。
【００１３】
しかして、構築物昇降補助装置１を用いて構築物に昇る場合には、まずこれをロープ４３に装着する。トルク調整ボルト１０を緩めて駆動ローラ５と押圧ローラ９との間隔を開いた状態で、両ローラ５，９間にロープ４３を通し、トルク調整ボルト１０をハンドル１１の制限トルクいっぱいに締め込み、ローラ５，９間にロープ４３を締め付ける。なお、安全器ロープ４４と安全器４５を併用する。そして、メインスイッチをオンし、牽引ロープ６を引くか、これに体重をかけると、昇降補助装置１が上昇を開始する。作業者は基本的に自力でステップを上がっていくが、牽引ロープ６に体重がかかると、構築物昇降補助装置１が作業者を引いて上昇し、作業者の負担を軽減する。構築物昇降補助装置１は、上昇と停止を繰り返しながら作業者と共に構築物を上昇することになる。上昇動作中、アーム２ａが、安全器４５のレバー４５ａを押し上げるので抵抗なく安全器４５を上昇させることができる。下降時には、給電停止し、モータ４を逆転させることにより、これをブレーキとして作用させ、適当な速度で昇降補助装置１を引きながら下降する。作業者の落下に対する最終的安全は、安全器ロープ４４と安全器４５で確保される。
【００１４】
【発明の効果】
以上のように、本発明においては、装置の本体２に電源用バッテリ３を保持させると共に、このバッテリ駆動のモータ４により回転する駆動ローラ５を設ける。この本体２に対して相対移動自在に可動枠７を係合させ、この可動枠７に駆動ローラ５と対向してロープ４３を挟持する押圧ローラ９を設ける。本体２と可動枠７との間をトルク調整ボルト１０で接続し、このトルク調整ボルト１０で本体２と可動枠７との相対位置を調整し、駆動ローラ５と押圧ローラ９との間隔を可変とする。また、本体２と牽引ロープ６との間に負荷センサ１２を介設し、牽引ロープ６に所定範囲の負荷がかかったときに駆動モータ４に給電するように構成する。以上の構成により、 構築物の側に専用の特別の設備を必要とせず、小型軽量で運搬が容易な構築物昇降補助装置１を提供することができる。
【図面の簡単な説明】
【図１】構築物昇降補助装置の正面図である。
【図２】構築物昇降補助装置の背面図である。
【図３】構築物昇降補助装置の側面図である。
【図４】負荷センサの概略的説明図である。
【図５】構築物昇降補助装置の使用状態の概略的説明図である。
【符号の説明】
１      構築物昇降補助装置
２      本体
２ａ    安全器支持アーム
３      バッテリ
４      モータ
５      駆動ローラ
６      牽引ロープ
７      可動枠
８      支持板
９      押圧ローラ
１０    トルク調整ボルト
１１    ハンドル
１２    負荷センサ
１３    レバー
１４    摺動板
１４ａ  接触片
１４ｂ  接触片
１５    ばね
４１    構築物
４２    主柱（昇降路）
４３    安全器装着用のロープ
４４    安全器ロープ
４５    安全器
４５ａ  レバー
【図１】
0004114181.tif 000002
【図２】
0004114181.tif 000003
【図３】
0004114181.tif 000004
【図４】
0004114181.tif 000005
【図５】
0004114181.tif 000006